(57)【要約】【課題】  マーカとして使用可能な少なくとも４枚の付箋を提供する。【解決手段】  ４枚の付箋１の各々は、短冊状のシート部材２の表面２ａに設けられたマーカ部３と、その裏側に設けられた粘着部４とを有する。マーカ部３は、シート部材２の表面２ａの長手方向の一端部に設けられている。粘着部４は、シート部材２の厚み方向にマーカ部３と対向し、他の部材に対し剥離自在に粘着可能である。マーカ部３の色は、表面２ａの色とは異なる。【選択図】図１
0003176096.tif 000002
【実用新案登録請求の範囲】
【請求項１】
短冊状のシート部材の一方の主面の長手方向の一端部に設けられたマーカ部と、
前記シート部材の他方の主面に設けられて、前記シート部材の厚み方向において前記マーカ部と対向するとともに他の部材に対し剥離自在に粘着可能な粘着部とを有し、
前記マーカ部の色は、前記シート部材の一方の主面の色とは異なることを特徴とする少なくとも４枚の付箋。
【請求項２】
前記マーカ部は、文字及び図形の少なくとも１つからなることを特徴とする請求項１に記載の付箋。
【請求項３】
短冊状のシート部材の一方の主面の長手方向の一端部に設けられたマーカ部と、
前記シート部材の他方の主面に設けられて前記シート部材の厚み方向において前記マーカ部と対向すると共に他の部材に対し剥離自在に粘着可能な粘着部とを有し、
前記マーカ部の色は、前記シート部材の一の主面の色とは異なり、
前記マーカ部が前記他の部材上の矩形領域の角部に位置するように、前記粘着部によって前記他の部材に粘着されることを特徴とする少なくとも４枚の付箋。
【考案の詳細な説明】
【技術分野】
【０００１】
本考案は、少なくとも４枚の付箋に関する。
【背景技術】
【０００２】
一般に、付箋は、メモ書きなどを一時的に書類や書籍に貼り付けるために使用されることが多い。
【考案の概要】
【考案が解決しようとする課題】
【０００３】
付箋は、書類や書籍に貼り付けた場合は、栞のように目印としての機能も有する。また、付箋は、剥離自在に形成されているので、書類や書籍に貼り付けた位置を容易に変えることが可能である。
【０００４】
一方、近年スマートフォンに普及により、スマートフォンのカメラで取り込んだ画像を、アプリケーションのトリミング機能を利用して、必要な部分のみ保存することが行われている。しかしながら、トリミング箇所を目視で確認してトリミングする作業は煩雑なものとなっていた。
【０００５】
本考案は、斯かる実情に鑑み、画像のトリミングに使用することができる付箋を提供することを目的とする。
【課題を解決するための手段】
【０００６】
本考案の少なくとも４枚の付箋は、短冊状のシート部材の一方の主面の長手方向の一端部に設けられたマーカ部と、前記シート部材の他方の主面に設けられて、前記シート部材の厚み方向において前記マーカ部と対向するとともに他の部材に対し剥離自在に粘着可能な粘着部とを有し、前記マーカ部の色は、前記シート部材の一方の主面の色とは異なることを特徴とする。
【０００７】
付箋のシート部材の厚み方向において、粘着部と対向するようにマーク部が設けられているため、書籍や雑誌などに付箋を貼るときの、粘着部の位置と、粘着部が貼られた書籍や雑誌の箇所をマーク部によって容易に確認することができる。
【０００８】
好ましくは、前記マーカ部は、文字及び図形の少なくとも１つからなることを特徴とする。
【０００９】
さらに、本考案の少なくとも４枚の付箋は、短冊状のシート部材の一方の主面の長手方向の一端部に設けられたマーカ部と、前記シート部材の他方の主面に設けられて前記シート部材の厚み方向において前記マーカ部と対向すると共に他の部材に対し剥離自在に粘着可能な粘着部とを有し、前記マーカ部の色は、前記シート部材の一の主面の色とは異なり、前記マーカ部が前記他の部材上の矩形領域の角部に位置するように、前記粘着部によって前記他の部材に粘着されることを特徴とする。
【００１０】
例えば、他の部材がデータとしての保存を希望する原稿の場合に、保存を希望する領域を矩形領域として仮想的に画定し、その角部に各付箋のマーカ部が位置するように粘着部によって付箋を原稿に貼り付け固定することによって、４枚の付箋により矩形領域が原稿上に画定される。
【考案の効果】
【００１１】
本考案によれば、原稿に４枚の付箋の粘着部を貼り付けるだけで、各付箋のマーカ部が角部に位置する矩形領域を原稿上に容易に画定することができる。
【図面の簡単な説明】
【００１２】
【図１】本考案の一実施の形態に係る付箋の概略図である。
【図２】本考案の一実施の形態に係る付箋の使用を説明する図である。
【考案を実施するための形態】
【００１３】
図１に、本考案による一実施の形態の付箋１を示す。図１に示すように、付箋１は、紙やプラスチックフィルムなどの短冊状のシート部材２からなり、一主面としての表面２ａの長手方向の一端部に矩形のマーカ部３が形成されている。マーカ部３の色は、表面２ａの色とは異なり、表面２ａからマーカ部３を識別できるようになっている。シート部材２の厚み方向とは反対側の主面２ｂには、粘着部４が形成されている。粘着部４は、シート部材２の厚みを介してマーカ部３と対向するように設けられ、他の部材としての原稿に対し剥離自在に形成されている。従って、粘着部４を原稿に対して粘着させるだけで付箋１を原稿に対して固定することができ、原稿に対してマーカ部３を配置することができる。
【００１４】
次に、付箋１の用途について説明する。
【００１５】
まず、図２（ａ）に示すように、例えばデータとして保存を希望する文書や図などの矩形領域１０を含む書籍又は雑誌、メモを原稿として準備する。次に、付箋１を４枚用意し、各付箋１のマーカ部３で、当該領域１０を囲い込むように、さらに、各マーカ部３が距離を隔てて直接対向するように付箋１の各々を配置する。その結果、４枚の付箋１の４つのマーカ部３によって画定され且つマーカ部３が領域１０の角部の外側に配置される矩形領域１１が仮想的に原稿上に形成される。このとき、矩形領域１１内に、原稿の領域１０が含まれるように、付箋１を移動させることによって、マーカ部３の位置を調整する。
【００１６】
次に、例えば、写真自動トリミングプログラムがインストールされた内蔵カメラ付きの携帯電話機やディジタルカメラで、原稿の領域１０と４枚の付箋１とを含む写真を撮影する。写真自動トリミングプログラムは、その起動時に、原稿の領域１０と４枚の付箋１とを撮影して写真データが生成されると、自動的に写真データから４つのマーカ部３を検出し、図２（ｂ）に示すように、検出された４つのマーカ部３によって画定される領域１１Ａを写真データから自動でトリミングして、図２（ｃ）に示す画像データを生成する。
【００１７】
本実施の形態の付箋１は、マーカ部３と粘着部４とが、シート部材２の厚みを介して対向しているので、粘着部４を原稿に貼り付けて固定するだけで、上記写真自動トリミングプログラムにより写真データをトリミングするときの基準として使用されるマーカを簡単に原稿に固定させることができる。また、原稿に取り付けたマーカ部３の位置が不適切であった場合に、付箋１を原稿から剥離して移動させるだけで、原稿におけるマーカ部３の位置を容易に変更することができる。
【００１８】
なお、本実施の形態では、マーカ部３の形状を矩形としたが、矩形に限られず、円形、三角、星形や矢印などの図形、動物もしくは果物などの適宜の図柄を用いることができる。あるいは、マーカ部３として、「重要」や「Check」などの文字や、又は文字や図形、絵柄の組み合わせとすることもできる。さらには、マーカ部３が形成されるシート部材２の一端部の縁部を、マーカ部３の形状に合わせて型取っても良い。
【符号の説明】
【００１９】
１    付箋
２    シート部材
３    マーカ部
４    粘着部
【図１】
0003176096.tif 000003
【図２】
0003176096.tif 000004